(57)【要約】【課題】  大きな具材と液体からなる内容物を有する容器において、液体だけを吐出することができるとともに、大きな具材を取り出すことができるキャップを提供すること。【解決手段】  容器本体に装着されるキャップ基体と、上蓋とからなるキャップにおいて、キャップ基体に設けられた注出筒の内方に、容器本体内を封鎖する隔壁が連設され、隔壁は、外周部と、注出口となる内外二重の破断可能な弱化部に囲まれた帯状開口予定部と、帯状開口予定部によって囲まれた開口調節部と、開口調節部と外周部とを連結する連結部とからなり、帯状開口予定部の少なくとも一端から起立する支柱を介してプルリングを連設し、連結部の帯状開口予定部の端部間にヒンジ部を設け、開口調節部の上面に、注出筒に係合可能な係合部を突設することを特徴とする。【選択図】  図１
2017214088.tif 000002
【特許請求の範囲】
【請求項１】
容器本体に装着されるキャップ基体と、上蓋とからなるキャップにおいて、
キャップ基体に設けられた注出筒の内方に、容器本体内を封鎖する隔壁が連設され、
隔壁は、外周部と、注出口となる内外二重の破断可能な弱化部に囲まれた帯状開口予定部と、帯状開口予定部によって囲まれた開口調節部と、開口調節部と外周部とを連結する連結部とからなり、
帯状開口予定部の少なくとも一端から起立する支柱を介してプルリングを連設し、
連結部の帯状開口予定部の端部間にヒンジ部を設け、
開口調節部の上面に、注出筒に係合可能な係合部を突設することを特徴とするキャップ。
【請求項２】
注出筒に係合凹部を設け、
連結部に設けられたヒンジ部で、開口調節部を開放したときに、係合部を係合凹部に嵌入することを特徴とする請求項１記載のキャップ。
【請求項３】
開口調節部の上面に把手部が突設されていることを特徴とする請求項２記載のキャップ。
【請求項４】
開口調節部の係合部が把手係合部であり、把手係合部の先端に係止め部を設け、
連結部に設けられたヒンジ部で、開口調節部を開放したときに、把手係合部の係止め部を、注出筒の先端部に係合することを特徴とする請求項１記載のキャップ。
【請求項５】
上蓋の裏面に、開口調節部を押さえる押さえ部が突設されていることを特徴とする請求項１〜４のいずれかに記載のキャップ。
【請求項６】
キャップ基体にヒンジを介して上蓋を連設し、
連結部はヒンジ側に設けられていることを特徴とする請求項１〜５のいずれかに記載のキャップ。
【発明の詳細な説明】
【技術分野】
【０００１】
本発明は、開口予定部に立設したプルリングを引き上げることによって弱化部を切断し、注出口を開設するキャップに関し、とくに液体だけを吐出でき、大きな具材も取り出すことができるキャップに関するものである。
【背景技術】
【０００２】
従来、内容液を収納した容器本体に装着されるキャップ基体と上蓋とからなるキャップにおいて、キャップ基体に設けられた注出筒の内方に容器本体内を封鎖する隔壁を連設し、隔壁には、切断溝を刻設して注出口となる開口予定部を画成する薄肉の弱化部を形成し、容器を使用するときに、開口予定部に立設したプルリングを引っ張り上げ、隔壁に注出口を開設するようにしたキャップは従来より知られている。
【０００３】
また、注出口が大きなキャップの場合には、不用意に大きく容器を傾けると、内容液が多量に噴出してしまうため、プルリングで引き上げる底板部分を、底板中央部を残してＣ字状とし、その底板中央部が収納液体注出の際に流出量を制御する制御板として機能するように設けたものが提案されている（例えば、特許文献１参照）。
【先行技術文献】
【特許文献】
【０００４】
【特許文献１】特開２００５−１８７０２３号公報
【発明の概要】
【発明が解決しようとする課題】
【０００５】
しかしながら、上記特許文献１記載のキャップの場合、内容物が液体のみであるならば問題ないとしても、内容物が液体以外に大きな具材を含む場合には、流出量制御板があるため、大きな具材を取り出すことができない。
通常、液体とともに大きな具材を含む場合には、開口部を大きくしなければならず、そうすると、液体のみならず大きな具材が飛び出してしまい、また、開口部が小さいものでは、大きな部材を取り出すことができないという問題があり、液体だけを吐出することができるとともに、大きな具材も取り出すことができるキャップが求められていた。
【０００６】
本発明は、上記問題を解決することを課題とし、液体だけを吐出することができるとともに、大きな具材も取り出すことができるキャップを提供することを目的とする。
【課題を解決するための手段】
【０００７】
本発明は、上記の課題を解決するため、キャップとして、容器本体に装着されるキャップ基体と、上蓋とからなるキャップにおいて、キャップ基体に設けられた注出筒の内方に、容器本体内を封鎖する隔壁が連設され、隔壁は、外周部と、注出口となる内外二重の破断可能な弱化部に囲まれた帯状開口予定部と、帯状開口予定部によって囲まれた開口調節部と、開口調節部と外周部とを連結する連結部とからなり、帯状開口予定部の少なくとも一端から起立する支柱を介してプルリングを連設し、連結部の帯状開口予定部の端部間にヒンジ部を設け、開口調節部の上面に、注出筒に係合可能な係合部を突設することを特徴とする構成を採用する。
【０００８】
キャップの具体的実施形態として、注出筒に係合凹部を設け、連結部に設けられたヒンジ部で、開口調節部を開放したときに、係合部を係合凹部に嵌入することを特徴とする構成、開口調節部の上面に把手部が突設されていることを特徴とする構成、開口調節部の係合部が把手係合部であり、把手係合部の先端に係止め部を設け、連結部に設けられたヒンジ部で、開口調節部を開放したときに、把手係合部の係止め部を、注出筒の先端部に係合することを特徴とする構成を採用する。
また、キャップの具体的実施形態として、上蓋の裏面に、開口調節部を押さえる押さえ部が突設されていることを特徴とする構成を採用する。
さらに、キャップの具体的実施形態として、キャップ基体にヒンジを介して上蓋を連設し、連結部はヒンジ側に設けられていることを特徴とする構成を採用する。
【発明の効果】
【０００９】
本願発明のキャップは、上記構成を有することにより、容器内に液体とともに大きな具材が入っている場合に、大きな具材は開口調節部によって止められて液体のみを吐出することができ、連結部がヒンジ部となっているので、開口調節部に設けた把手部を持ち上げて、全開すれば大きな具材を取り出すことが可能となる。
また、大小複数の具材が入っている場合には、開口調節部に設けた把手部を持ち上げて角度を調節するだけで、注出口の大きさが適宜容易に変えられることができ、液体のみを吐出した後、開口調節部の角度を調節して、大小複数の具材のうち、小さな具材のみを取り出し、さらに全開することにより、大きな具材も取り出すことができる。
【００１０】
さらに、開口調節部を全開するときに、開口調節部に設けた係合部を注出筒に係合することによって、開口調節部を固定すれば、大きな具材を取り出すのが容易となる。
【図面の簡単な説明】
【００１１】
【図１】本発明のキャップの実施例１における開蓋状態を示す斜視図である。
【図２】本発明のキャップの実施例１における閉蓋状態を示す側面断面図である。
【図３】本発明のキャップの実施例１における開蓋状態を示す図であり、（ａ）は上面図、（ｂ）は断面側面図である。
【図４】本発明のキャップの実施例１における開蓋状態を示す下面図である。
【図５】本発明のキャップの実施例１において、係合部を注出筒の係合凹部に嵌入したときの側面断面図である。
【図６】本発明のキャップの実施例２における開蓋状態を示す図であり、（ａ）は上面図、（ｂ）は断面側面図である。
【図７】本発明のキャップの実施例２において、把手係合部の係止め部を注出筒に係合したときの側面断面図である。
【発明を実施するための形態】
【００１２】
次に、本発明のキャップについて、実施例を示した図面を参照して説明する。
【実施例１】
【００１３】
図１、２において、Ａはキャップ基体、ＢはヒンジＣを介して連設された上蓋、Ｄは容器本体である。
【００１４】
キャップ基体Ａは、所定位置にヒンジＣを設けた外筒１と、外筒１の上部内周側に連設し、上蓋Ｂを係合する係止突条２を有する係合リング３と、係合リング３の下部内周側に連設する内筒４と、内筒４の内周側に立設する注出筒５と、注出筒５の内縁に連設された隔壁６とを具備している。
注出筒５は、先端部がラッパ状に広がり、ラッパ部７を形成している。
また、注出筒５には、図３（ａ）に示すように、後述する開口調節部１８の係合部２３と係合する係合凹部８が、後述する連結部１５側に設けられている。
【００１５】
キャップ基体Ａは、外筒１の内周が容器本体Ｄの口部外周と係合するとともに、内筒４の外周が容器本体Ｄの口部内周と係合し、容器本体Ｄの口部を挟持するようにして容器に装着されている。
【００１６】
図３に示すように、隔壁６には、外周部１４とヒンジＣ側で外周部１４と連結する連結部１５とを残し、内容物の液体部分を吐出する注出口として、内外二重の破断可能な弱化部１６で囲まれた馬蹄形状の帯状開口予定部１７が形成されるとともに、馬蹄形状の帯状開口予定部１７に囲まれた開口調節部１８が形成されている。
帯状開口予定部１７の形状は、くの字状やコの字状などの多角形状も含み、注出筒内周に沿って開口される形状が好ましい。特に注出口が馬蹄形状であれば、内容物が主に液体の場合、様々な注出方向でも安定した注出が可能となるので、馬蹄形状とすることが望ましい。
【００１７】
帯状開口予定部１７の両端部から起立する支柱１９を介してプルリング２０が連設される。
なお、両端部に支柱１９を設けなくても、少なくとも一方の端部に支柱１９を設け、支柱を介してプルリング２０を連設しても構わない。
【００１８】
図３、４に示すように、連結部１５の下面には、帯状開口予定部１７の端部間にヒンジ部２１が設けられ、開口調節部１８の上面に、連結部１５から離れた位置に把手部２２とほぼ中央部に係合部２３を突設し、帯状開口予定部１７が除去された後、開口調節部１８は、把手部２２を持ち上げればヒンジ部２１を介して上方に開くようになっている。
【００１９】
図５が示すように、ヒンジ部２１を介して開口調節部１８を開放したときに、係合部２３を、注出筒５に設けられた係合凹部８に嵌入することによって、開口調節部１８は固定される。
【００２０】
上蓋Ｂは、頂壁３０と、頂壁３０外縁に垂設される側周壁３１と、頂壁３０の裏面に垂設され、閉蓋時に外周がキャップ基体Ａの注出筒５の内周と密嵌する密封筒３２が設けられている。
また、頂壁３０の裏面に、閉蓋したときに、開口調節部１８の把手部２２と係合部２３に接するか接しないかの位置に押さえ部３３が突設されている。
【００２１】
側周壁３１には、内周下部に、閉蓋時にキャップ基体Ａの係止突条２と係合して閉蓋状態を維持する環状係合部３４が設けられ、外周の所定位置にヒンジＣが連設されている。
側周壁３１のヒンジＣの反対側の外周には、下端部に、つまみ３５が突設されている。
【００２２】
次に、本実施例の使用態様と作用効果について説明する。
本発明のキャップは、大きな具材と液体からなる内容物を容器本体Ｄ内に充填した後、閉蓋状態で上方から打栓され、容器本体Ｄに装着する。
【００２３】
打栓工程は、外筒１と内筒４との間に形成された環状溝部に容器本体Ｄの口部をあてがい、上蓋Ｂの上方から押圧力が加えられ、容器本体Ｄの口部が外筒１と内筒４とで嵌合される。
本実施例では、打栓により、キャップを容器本体Ｄと嵌合しているが、ねじによる螺合でも構わない。
また、本実施例では、上蓋Ｂは、キャップ基体ＡにヒンジＣを介して連設されているが、キャップ基体Ａと上蓋Ｂとをねじで螺合やアンダーカット係合しても構わない。
【００２４】
内容物から液体のみを吐出する方法は、上蓋Ｂのつまみ３５を持ち上げ、開蓋状態とし、次いでプルリング２０に指を掛けて上方に引っ張り上げ、二重の破断可能な弱化部１６を破断して馬蹄形状の帯状開口予定部１７を取り除くと、隔壁６に馬蹄形状の注出口が開設される。
【００２５】
そのまま、容器本体Ｄを手で持って傾ければ、大きな具材は開口調節部１８によって止まり、液体のみが吐出される。
【００２６】
本実施例では、上蓋Ｂに押さえ部３３が設けられているので、隔壁６から馬蹄形状の帯状開口予定部１７を取り除いたときに、ヒンジ部２１によって、開口調節部１８が上方に曲がりやすくなるのを、開口調節部１８に設けられた把手部２２と係合部２３を押さえて防止することができる。
【００２７】
図５に示すように、液体がなくなり、大きな具材を取り出すには、開口調節部１８の把手部２２を持ち上げ、ヒンジ部２１を介して開放し、開口調節部１８に設けられた係合部２３を注出筒５の係合凹部８に嵌入することによって、開口調節部１８を固定し、容器本体Ｄを傾ければ、開口部が大きく開かれているので、大きな具材を容易に取り出すことができる。
【００２８】
また、具材として大小があり、小さい具材と大きな具材を取り分ける場合には、液体のみを吐出させた後、把手部２２を持ち上げ、ヒンジ部２１を介して開口調節部１８の開く角度を適宜調節することによって、小さい具材のみを取り出すことができる。また、大きな具材は、全開することによって取り出すことができる。
さらに、小さい具材と液体のみを最初に吐出させる場合にも、開口調節部１８の角度を調整しておけば、液体とともに、小さい具材を吐出することができ、その場合も、全開すれば大きな具材を取り出すことができる。
【実施例２】
【００２９】
次に、隔壁６の開口調節部１８の構成を変更した第２実施例について説明する。
以下、第１実施例と同一の構成部分には同一の符号を付し、相違点を中心に説明する。
【００３０】
図６に示すように、本実施例では、開口調節部１８の上に、第１実施例の係合部２３の位置に、第１実施例の把手部２２と係合部２３に代えて、把手係合部２４が設けられ、把手係合部２４の先端部には係止め部２５が設けられている。
そうすることによって、図７に示すように、ヒンジ部２１を介して開口調節部１８を開放したときに、注出筒５の先端部のラッパ部７に直接把手係合部２４の係止め部２５を係合することができる。
なお、本実施例では、注出筒５には、係合凹部８は設けられていない。
【００３１】
本実施例の作用効果は、第１実施例と同様であり、開口調節部１８に設けた把手係合部２４の係止め部２５を注出筒５の先端部のラッパ部７に係合することによって、開口調節部１８が全開の位置で固定されるので、大きな具材であっても、容易に取り出すことができる。
その他の構成は第１実施例と同じであり、同様の作用効果を奏する。
【産業上の利用可能性】
【００３２】
本発明のキャップは、大きな具材を有する液体を内容物の容器のキャップとして、液体だけを吐出することができるとともに大きな具材も取り出すことができ、また、複数の大小の具材であっても、取り分けが容易であり、広く利用可能なキャップである。
【符号の説明】
【００３３】
Ａ          キャップ基体
Ｂ          上蓋
Ｃ          ヒンジ
Ｄ          容器本体
１          外筒
２          係止突条
３          係合リング
４          内筒
５          注出筒
６          隔壁
７          ラッパ部
８          係合凹部
１４          外周部
１５          連結部
１６          弱化部
１７          帯状開口予定部
１８          開口調節部
１９          支柱
２０          プルリング
２１          ヒンジ部
２２          把手部
２３          係合部
２４          把手係合部
２５          係止め部
３０          頂壁
３１          側周壁
３２          密封筒
３３          押さえ部
３４          環状係合部
３５          つまみ
【図１】
2017214088.tif 000003
【図２】
2017214088.tif 000004
【図３】
2017214088.tif 000005
【図４】
2017214088.tif 000006
【図５】
2017214088.tif 000007
【図６】
2017214088.tif 000008
【図７】
2017214088.tif 000009